【事件の表示】
　平成　２年特許願第１９５４９９号「ディスク再生装置」拒絶査定に対する審判事件［平成　４年　３月１６日出願公開、特開平　４−　８２０６９］について、次のとおり審決する。
【結　論】
　本件審判の請求は、成り立たない。
【理　由】
１．手続の経緯・本願発明
　本願は、平成２年７月２４日の出願であって、その請求項１に係る発明は、平成１１年７月２日付の手続補正書により補正された明細書及び図面の記載からみて、その特許請求の範囲の請求項１に記載された次の事項により特定されるとおりのものと認める。（以下「本願発明」という。）
「曲毎の演奏開始時間が目次情報として記録されている目次情報領域を備えたディスク上の所望の曲目を再生する再生装置において、
上記目次情報領域に記録されている曲毎の演奏開始時間を再生する再生手段と、
上記再生手段を上記ディスクの半径方向に移送する移送手段と、
上記再生手段にて再生された曲毎の演奏開始時間を可能な限り記憶する記憶手段と、
指定された所望の曲目に対する演奏開始時間が上記記憶手段に記憶済みか否かを判別する判別手段と、
上記判別手段にて指定された所望の曲目に対する演奏開始時間が上記記憶手段に記憶されていない場合には上記再生手段を再度上記目次情報領域に移送するように上記移送手段を制御し、上記移送制御後に上記目次情報領域から指定された所望の曲に対応する演奏開始時間を再生し、再生した演奏開始時間に基づいて上記移送手段を移送制御し、
上記判別手段にて指定された所望の曲目に対する演奏開始時間が上記記憶手段に記憶されている場合には上記記憶手段に記憶されている指定された所望の曲に対応する演奏開始時間に基づいて上記移送手段を制御する移送制御手段とを備えてなるディスク再生装置。」
　
２．引用例記載の発明
　これに対して、原査定の拒絶の理由に引用された、特開昭６２−４６４７９号公報（以下「引用例」という。）には、デジタルオーディオディスクプレーヤに関する発明について以下の記載がある。
「デジタルオーディオディスクに記録されている信号を読み取る読み取り手段と、該読み取り手段出力より前記デジタルオーディオディスクに記録されている検索信号を再生するための再生手段と、該再生手段出力のうち、前記デジタルオーディオディスクに記録されている各曲の開始位置情報のうちの一部もしくは全部を記憶する記憶手段と、該記憶手段に記憶された前記曲開始位置情報を選択的に取り出し加算する加算手段と、該加算手段出力に応じて、前記デジタルオーディオディスクに対する前記読み取り手段の位置を変化させる移送手段とを備えた事を特徴としたデジタルオーディオディスクプレーヤ。」（特許請求の範囲）
「第１表に、デジタルオーディオディスク（以下単にディスクと称す）に記録されている検索用の位置情報の一例を示す。この位置情報は、各曲内で連続に変化し、異曲間では不連続である第１の位置情報と、全曲に渡って連続に変化する第２の位置情報と、さらに各曲の開始位置を、第２の位置情報軸上でどの位置になるかを示す索引情報とからなり、これら全ての情報は、分、秒、及び１／７５秒（フレーム）単位で記録されている。」（公報第２頁上左欄第１１行〜第１９行）
「あらかじめ、ディスク最内周部の索引情報を再生し、各曲の開始位置情報をメモリ１５に記憶させる。この際、メモリ容量を内蔵のマイクロコンピュータのＲＡＭ容量に応じて、制限しておき、例えば２０曲分のメモリを準備し、２１曲以上の索引情報は記憶しないようにしておく。」（公報第４頁上左欄第８行〜第１３行）
「まず最初に、あらかじめ索引情報が記憶されている曲の検索を行う場合の動作を以下に示す。
　移送制御部１６は、メモリ１５より検索が指示された曲番に該当する曲番の索引情報を読み出し、その索引情報に応じた位置へピックアップ１２を移動するように移送手段を動かす事により粗い検索を行なう。」（公報上左欄第１６行〜上右欄第２行）
「次に索引情報が記憶されていない曲の検索を行なう場合の動作を以下に示す。
　移送制御部１６は加算器１９により検索しようとする曲の開始位置を概算する。
　例えば今１〜２０曲までの索引情報が記憶されていて、４０曲目の検索を行なうとする。
　２０曲の索引情報は１曲目の開始位置から１９曲目の終わりまでの長さを示すものである。同様に２曲目の索引情報は、１曲目の開始位置から１曲目の終わりまでの長さを示す。仮に全曲の長さが等しいと考えると４０曲の検索情報は、３９曲分の長さと等しいから
　３９＝１９＋１９＋１
と考えて
（２０曲目の検索情報）＋（２０曲目の検索情報）＋（２曲目の検索情報）＝（４０曲目の検索情報）
という方法で索引情報を加算する事により４０曲目の索引情報を概算する事ができる。
　この概算情報に応じて、ピックアップ１２を高速移送し、次に、再生−トラックジャンプの繰り返しにより徐々に目的トラックへピックアップ１２を近づけ、検索を完了するものである。」（公報第４頁上右欄第９行〜下左欄第１０行）
　これらの記載を総合して整理すると、引用例には、以下のとおりの発明が記載されているものといえる。
　
　曲毎の開始位置情報が検索情報として記録されている検索情報領域を備えたディスク上の所望の曲目を再生する再生装置において、
上記検索情報領域に記録されている曲毎の開始位置情報を再生する再生手段と、
上記再生手段を上記ディスクの半径方向に移送する移送手段と、
上記再生手段にて再生された曲毎の開始位置情報の一部もしくは全部を記憶するメモリと、
指定された所望の曲目に対する開始位置情報が上記メモリに記憶されていない場合には上記メモリに記憶されている前記開始位置情報を選択的に取り出し加算する加算手段の出力に応じて移送手段を移送制御し、
指定された所望の曲目に対する開始位置情報が上記メモリに記憶されている場合には上記メモリに記憶されている指定された所望の曲に対応する開始位置情報に基づいて上記移送手段を制御する移送制御部とを備えてなるデジタルオーディオディスクプレーヤ。
　
３．対比
　ここで、本願発明と引用例記載の発明を対比すると、引用例記載の発明の「開始位置情報」、「検索情報」、「デジタルオーディオディスクプレーヤ」は、それぞれ本願発明の「演奏開始時間」、「目次情報」、「ディスク再生装置」に相当することは明らかであり、また、引用例記載の発明の「曲毎の開始位置情報を一部もしくは全部を記憶するメモリ」は、本願発明の「曲毎の演奏開始時間を可能な限り記憶する記憶手段」に相当すると認められる。
　したがって、本願発明と引用例記載の発明は、
曲毎の演奏開始時間が目次情報として記録されている目次情報領域を備えたディスク上の所望の曲目を再生する再生装置において、
上記目次情報領域に記録されている曲毎の演奏開始時間を再生する再生手段と、
上記再生手段を上記ディスクの半径方向に移送する移送手段と、
上記再生手段にて再生された曲毎の演奏開始時間を可能な限り記憶する記憶手段と、
指定された所望の曲目に対する演奏開始時間が上記記憶手段に記憶されていない場合には、特定の方法で上記移送手段を移送制御し、
指定された所望の曲目に対する演奏開始時間が上記記憶手段に記憶されている場合には上記記憶手段に記憶されている指定された所望の曲に対応する演奏開始時間に基づいて上記移送手段を制御する移送制御手段とを備えてなるディスク再生装置。
である点で一致し、以下の各点で本願発明は引用例記載の発明と相違するものと認められる。
（１）本願発明では、指定された所望の曲目に対する演奏開始時間が上記記憶手段に記憶済みか否かを判別する判別手段を有しているのに対し、引用例記載の発明は当該判別手段について不明な点、
（２）指定された所望の曲目に対する演奏開始時間が上記記憶手段に記憶されていない場合の特定手段として、本願発明では、再生手段を再度目次情報領域に移送するように移送手段を制御し、移送制御後に目次情報領域から指定された所望の曲に対応する演奏開始時間を再生するのに対し、引用例記載の発明では、メモリに記憶されている開始位置情報を選択的に取り出し加算する加算手段の出力に応じて移送手段を移送制御している点。
　
４．当審の判断
　相違点（１）について検討する。
　引用例には、「各曲の開始位置情報をメモリ１５に記憶させる。この際、メモリ容量を内蔵のマイクロコンピュータのＲＡＭ容量に応じて、制限しておき、例えば２０曲分のメモリを準備し、２１曲以上の索引情報は記憶しないようにしておく。」と記載されてあり、続いて、「あらかじめ索引情報が記憶されている曲の検索を行う場合」と「検索情報が記憶されていない曲の検索を行う場合」とに分けて引用例記載の発明の動作を説明している。
　これらの記載から、引用例記載の発明においても、指定された所望の曲目が２０曲目以下の場合と２１曲目以上の場合とを実質的に判別して動作させていると言うことができるので、具体的に「判別手段」を設けることは、当業者が適宜実施し得る程度のことであると認められる。
　相違点（２）について検討する。
　そもそも、本願発明や引用例記載の発明のようなディスク再生装置においては、演奏開始時間を、ディスク上の検索（目次）情報領域に再生手段を移送させることによりに得るのが基本であるが、高速化等の目的によりディスク上の検索情報の一部をメモリに入れ、該メモリから演奏開始時間を得るようにすることが慣用手段として行われている。（必要があれば、特開平１−１１６９８２号公報を参照されたい。）
　したがって、引用例記載の発明においては、指定された所望の曲目に対する演奏開始時間が上記記憶手段に記憶されている場合には、上述の慣用手段を用いており、指定された所望の曲目に対する演奏開始時間が上記記憶手段に記憶されていない場合には、メモリに記憶されている開始位置情報を選択的に取り出し加算する加算手段の出力に応じて移送手段を移送制御しているが、上述の基本動作にかえり、演奏開始時間をディスク上の検索情報領域に再生手段を移送させることにより得るようにすることは、当業者が適宜実施し得ることであると認められる。
　
５．むすび
　以上のとおり、各相違点は格別なものとは言えないので、本願発明は、上記引用例に記載された発明に基いて当業者が容易に発明することができたものと認められるから、特許法第２９条第２項の規定により特許を受けることができない。
　よって、結論のとおり審決する。